(57)【要約】【課題】使用者に対する不快感を低減できる送風装置を提供する。【解決手段】空気の流入口２０を前面２ｂに開口するとともに空気の吹出口５を開口して送風機１０を内装する筐体２と、流入口２０を覆って筐体２の前面２ｂに着脱可能に取り付けられるとともに側方に臨む吸込口４を有した捕虫空間２５を筐体２との間に形成する化粧パネル３と、化粧パネル３の背面３ａに着脱可能に設置されるとともに一面に粘着面５１ａを有して虫を捕獲する捕虫シート５１とを備えたことを特徴とする。【選択図】図２
2018000125.tif 000002
【特許請求の範囲】
【請求項１】
空気の流入口を前面に開口するとともに空気の吹出口を開口して送風機を内装する筐体と、前記流入口を覆って前記筐体の前面に着脱可能に取り付けられるとともに側方に臨む吸込口を有した捕虫空間を前記筐体との間に形成する化粧パネルと、前記化粧パネルの背面に着脱可能に設置されるとともに一面に粘着面を有して虫を捕獲する捕虫シートとを備えたことを特徴とする送風装置。
【請求項２】
運転状態を表示する表示部を前記筐体の前部に配したことを特徴とする請求項１に記載の送風装置。
【請求項３】
前記化粧パネルが前後方向に移動可能に形成されることを特徴とする請求項１又は２に記載の送風装置。
【請求項４】
前記捕虫空間内の虫を検出する捕虫センサを設け、前記捕虫センサにより虫を検出すると前記化粧パネルが後方に移動して前記捕虫空間を狭くすることを特徴とする請求項３に記載の送風装置。
【請求項５】
周囲の明るさを検知する照度センサを備え、周囲の明るさが所定値よりも低くなると前記化粧パネルが後方に移動して前記捕虫空間を狭くすることを特徴とする請求項３に記載の送風装置。
【請求項６】
時刻を取得するための計時部を備え、夜間になると前記化粧パネルが後方に移動して前記捕虫空間を狭くすることを特徴とする請求項３に記載の送風装置。
【請求項７】
前記化粧パネルが所定周期で前後方向に往復移動することを特徴とする請求項３〜６のいずれかに記載の送風装置。
【発明の詳細な説明】
【技術分野】
【０００１】
本発明は捕虫機能を有する送風装置に関する。
【背景技術】
【０００２】
特許文献１には従来の送風装置が開示されている。この送風装置は空気の吸込口及び吹出口をそれぞれ背面及び上面に開口した筐体を有する。筐体は室内の床面等に設置され、送風機を内装する。吸込口には空気中の塵埃を捕集するフィルタが配される。
【０００３】
上記構成の送風装置において、送風機が駆動されると吸込口から空気が吸い込まれる。吸込口から吸い込まれた空気はフィルタにより塵埃が捕集された後に吹出口から外部へ送出される。これにより、室内の空気を清浄化して循環させることができる。
【０００４】
近年、健康志向の高まりから、蚊等の虫を介した感染症等を低減するために捕虫機能を有する送風装置の要望が高くなっている。
【０００５】
特許文献２には虫を捕獲する捕虫器が開示される。この補注器は筐体の前面に粘着性の捕虫シートが配され、筐体内に蓄光材及び光源が配される。蓄光材は捕虫シートを透過した光を蓄光し、夜間等に蓄光材または光源から光が出射される。蓄光材または光源から出射された光は捕虫シートを透過し、捕虫シートの表面が発光する。これにより、虫が捕虫器に引き寄せられ、捕虫シートに捕獲される。
【先行技術文献】
【特許文献】
【０００６】
【特許文献１】特開２００９−６６４６６号公報
【特許文献２】特開２０１６−０８６６８７公報
【発明の概要】
【発明が解決しようとする課題】
【０００７】
上記特許文献２の捕虫器を送風装置に設けることにより、捕虫機能を備えた送風装置を実現できる。しかしながら、上記特許文献２の捕虫器の捕虫シートは筐体の表面に露出するため、虫が付着した捕虫シートが視認される。このため、使用者に不快感を与える問題がある。
【０００８】
本発明は、捕虫機能を備え、使用者に対する不快感を低減できる送風装置を提供することを目的とする。
【課題を解決するための手段】
【０００９】
上記目的を達成するために本発明は、空気の流入口を前面に開口するとともに空気の吹出口を開口して送風機を内装する筐体と、前記流入口を覆って前記筐体の前面に着脱可能に取り付けられるとともに側方に臨む吸込口を有した捕虫空間を前記筐体との間に形成する化粧パネルと、前記化粧パネルの背面に着脱可能に設置されるとともに一面に粘着面を有して虫を捕獲する捕虫シートとを備えたことを特徴とする。
【００１０】
また本発明は、上記構成の送風装置において、運転状態を表示する表示部を前記筐体の前部に配したことを特徴とする。
【００１１】
また本発明は、上記構成の送風装置において、所前記化粧パネルが前後方向に移動可能に形成されることを特徴とする。
【００１２】
また本発明は、上記構成の送風装置において、前記捕虫空間内の虫を検出する捕虫センサを設け、前記捕虫センサにより虫を検出すると前記化粧パネルが後方に移動して前記捕虫空間を狭くすることを特徴とする。
【００１３】
また本発明は、上記構成の送風装置において、周囲の明るさを検知する照度センサを備え、周囲の明るさが所定値よりも低くなると前記化粧パネルが後方に移動して前記捕虫空間を狭くすることを特徴とする。
【００１４】
また本発明は、上記構成の送風装置において、時刻を取得するための計時部を備え、夜間になると前記化粧パネルが後方に移動して前記捕虫空間を狭くすることを特徴とする。
【００１５】
また本発明は、上記構成の送風装置において、前記化粧パネルが所定周期で前後方向に往復移動することを特徴とする。
【００１６】
また本発明は、上記構成の送風装置において、前記化粧パネルが前記捕虫空間の側方を覆う側面部を有し、前記吸込口が前記側面部に開口することを特徴とする。
【発明の効果】
【００１７】
本発明によると、側方に臨む吸込口を有した捕虫空間を筐体の前面と化粧パネルとの間に形成し、化粧パネルの背面に捕虫シートを設置した。これにより、吸込口から捕虫空間内に吸い込まれる虫を捕虫シートにより捕獲することができる。また、化粧パネルの背面に捕虫シートが配されるため、送風装置の外面上に捕虫シートを露出させず、前方から吸込口を介して捕虫シートを視認することもできない。したがって、捕虫により感染症を予防できるとともに使用者に与える不快感を低減することができる。
【図面の簡単な説明】
【００１８】
【図１】本発明の第１実施形態の送風装置を示す斜視図
【図２】本発明の第１実施形態の送風装置を示す側面断面図
【図３】本発明の第１実施形態の送風装置を示す上面図
【図４】本発明の第１実施形態の送風装置を示す正面断面図
【図５】本発明の第１実施形態の送風装置の化粧パネルを示す背面断面図
【図６】本発明の第１実施形態の送風装置の上面断面図
【図７】本発明の第１実施形態の送風装置の上面断面図
【図８】本発明の第１実施形態の送風装置の構成を示すブロック図
【図９】本発明の第２実施形態の送風装置を示す上面断面図
【発明を実施するための形態】
【００１９】
＜第１実施形態＞
以下に図面を参照して本発明の実施形態を説明する。図１、図２および図３は第１実施形態の送風装置の斜視図、側面断面図、上面図を示している。なお、図１及び図２において白抜きの矢印は空気の流れを示している。送風装置１は居室内の床面等に設置されて水平断面形状が略矩形の筐体２を有している。
【００２０】
筐体２の前面２ｂは着脱可能な化粧パネル３により覆われる。化粧パネル３の側面部３ｂには複数の吸込口４が開口し、化粧パネル３と筐体２の前面２ｂとの間には捕虫空間２５が形成される。捕虫空間２５に面した筐体２の前面２ｂは黒色に形成される。筐体２の背面２ａは非化粧面に形成され、電源コード６５が導出される。
【００２１】
筐体２の上面２ｃの周縁部には透明な樹脂から成るスリーブ部１２が設けられる。筐体２の上面２ｃの前部には操作パネル６が設けられる。操作パネル６は筐体２の前後方向の中心線ＣＬよりも前方に配置され、複数の操作ボタンから成る操作部４６及び複数のＬＥＤから成る表示部４５を有している。
【００２２】
操作部４６は各操作ボタンの操作により、送風装置１のオンオフ、送風機１０の風量の変更、イオン発生装置１１のオンオフ等の送風装置１の動作設定を行う。表示部４５は送風装置１の駆動状態、送風装置１の停止状態、送風機１０の風量、イオン発生装置１１の駆動状態等の送風装置１の運転状態を表示する。
【００２３】
なお、操作パネル６上には操作部４６の各操作ボタン及び表示部４５の各ＬＥＤの機能を説明する文字が文字の下を前面２ｂ側に配して印刷される。これにより、操作部４６及び表示部４５の機能を正面から容易に判別することができる。操作部４６の一部の操作ボタンまたは表示部４５の一部のＬＥＤを筐体２の前面２ｂに配置してもよい。
【００２４】
また、操作パネル６には照度センサ４１が設けられる。照度センサ４１は周囲の明るさを検知する。
【００２５】
筐体２の前面２ｂ及び上面２ｃにはそれぞれ流入口２０及び吹出口５が開口している。吹出口５の中央部には上方に向かって突出する突出板１３が設けられる。
【００２６】
筐体２内には流入口２０と吹出口５とを連結する送風通路７が設けられる。送風通路７内には流入口２０から吹出口５に向かって（気流の上流から下流に向かって）順にプレフィルタ８、ＨＥＰＡフィルタ９、送風機１０及びイオン発生装置１１が設けられる。
【００２７】
送風機１０はモータ１０ａにより駆動されるシロッコファンにより形成され、軸方向に吸気して周方向に排気する。プレフィルタ８はＡＢＳ等の合成樹脂で形成された複数段複数列の窓を有する矩形の枠にポリプロピレン製のメッシュを溶着して形成される。メッシュの目の大きさは蚊やハエ等の虫が通過できない大きさに形成される。プレフィルタ８によって空気中の大きな塵埃を捕集することができる。
【００２８】
ＨＥＰＡフィルタ９は濾材９ａを覆うように枠材９ｂがホットメルトにより溶着されている。ＨＥＰＡフィルタ９によって、所定粒径（例えば３μｍ）よりも小さい粒径のＰＭ２．５等の微小粒子状物質を含む空気中の微細な塵埃を捕集することができる。
【００２９】
なお、活性炭等の吸着材を有する脱臭フィルタをプレフィルタ８とＨＥＰＡフィルタ９との間に配置してもよい。これにより、空気中の臭気成分を吸着して空気を脱臭することができる。
【００３０】
イオン発生装置１１は高圧電圧の印加によりイオンを発生する電極（不図示）を有し、電極は送風通路７内に面している。電極には交流波形またはインパルス波形から成る電圧が印加される。電極の印加電圧が正電圧の場合は主としてＨ＋（Ｈ２Ｏ）ｍから成るプラスイオンを発生し、負電圧の場合は主としてＯ２−（Ｈ２Ｏ）ｎから成るマイナスイオンを発生する。ここで、ｍ、ｎは整数である。Ｈ＋（Ｈ２Ｏ）ｍ及びＯ２−（Ｈ２Ｏ）ｎは空気中の浮遊菌や臭気成分の表面で凝集してこれらを取り囲む。
【００３１】
そして、式（１）〜（３）に示すように、衝突により活性種である［・ＯＨ］（水酸基ラジカル）やＨ２Ｏ２（過酸化水素）を微生物等の表面上で凝集生成して浮遊菌等を破壊する。ここで、ｍ’、ｎ’は整数である。したがって、プラスイオン及びマイナスイオンを発生して吹出口５から送出することにより居室内の除菌及び臭い除去を行うことができる。
【００３２】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００３３】
また、プラスイオン及びマイナスイオンが使用者の肌に接触すると、肌に水酸基（ＯＨ基）が付着して肌表面が親水化される。これにより、肌表面に水分子が付着しやすくなり、肌に潤いを与えることができる。
【００３４】
図４は送風装置１の筐体２の上部の正面断面図を示している。筐体２の前面上部には流入口２０に対して外側（化粧パネル３側）に突出した突出部２８が設けられる。突出部２８は左右方向に延びて形成され、突出部２８の下面の左右方向の中央部には凹部２８ａが凹設される。
【００３５】
凹部２８ａ内の左右端部にはそれぞれ出射面（不図示）が斜め下方を向くように誘引灯２１が配される。これにより、誘引灯２１は捕虫空間２５の上部に面して化粧パネル３の吸込口４の上方に配置される。誘引灯２１は、蚊等の虫を誘引する約３６５ｎｍの紫外線を出射する紫外線発光ダイオード（不図示）を有する。
【００３６】
凹部２８ａの左右方向の中央部には両面に反射面６１ａが形成された板状の反射部６１が垂設される。反射面６１ａはシボ加工され、誘引灯２１の出射面から出射された光Ｐ１は反射面６１ａで拡散反射する。反射面６１ａで拡散反射した光Ｐ２は捕虫空間２５内を照射するとともに吸込口４を介して居室内に出射される。これにより、使用者が誘引灯２１を直視することを防止することができる。
【００３７】
また、突出部２８には捕虫空間２５内の虫を検知する捕虫センサ４３が設けられる。捕虫センサ４３として、吸込口４の虫の通過を検知する赤外線センサ、虫の羽音を取得するマイク、虫の映像を取得するカメラ等を用いることができる。
【００３８】
図５は化粧パネル３を内側（筐体２側）から見た背面断面図を示している。化粧パネル３は筐体２側の面を開口した箱状に形成され、捕虫空間２５の側方を覆う左右の両側面部３ｂにはそれぞれ複数（本実施形態では５個）の吸込口４が上下に並設して開口する。なお、吸込口４は１個でもよく、側面部３ｂを省いて捕虫空間２５の両側方を開放して吸込口４を形成してもよい。
【００３９】
化粧パネル３の背面３ａには捕虫シート５１が配される。捕虫シート５１は化粧パネル３の四隅に突設された係合部５５に孔部５１ｂを係合して装着される。捕虫シート５１は筐体２側の一面に例えばアクリル系の粘着剤を設けた粘着面５１ａを有している。
【００４０】
また、化粧パネル３の背面３ａには虫を誘引する臭気物質を発生するニオイ発生部７０が設けられる。臭気物質に特に限定はないが、例えば乳酸を挙げることができる。乳酸により蚊等の虫を容易に誘引することができる。
【００４１】
図６、図７は送風装置１の上面断面図を示している。筐体２の上部には化粧パネル３を前後方向に移動させる駆動装置３５が設けられる。駆動装置３５はモータ３０及び可動部３１から成っている。
【００４２】
可動部３１は矩形の環状に形成される枠体３２の四隅から前方に突出して突出部３３が設けられ、上端の中央部から後方に突出してギヤ部３４が設けられる。突出部３３は筐体２の前面２ｂに設けた孔部２ｄに嵌入される。化粧パネル３の背面３ａの各係合部５５に対向する。また、突出部３３は磁性体により形成され、各係合部５５の後端面には磁石５５ａが設けられる。これにより、係合部５５が突出部３３に吸着して化粧パネル３が筐体２に着脱可能に取り付けられる。
【００４３】
ギヤ部３４にはラック（不図示）が形成され、モータ３０のシャフト３０ａに取り付けられるピニオン３０ｂに噛合する。モータ３０の駆動により可動部３１が孔部２ｄに案内され、化粧パネル３とともに前後方向に移動する。なお、孔部２ｄにリニアガイドベアリングを設けてもよい。
【００４４】
これにより、化粧パネル３は図６に示す捕虫空間２５の広い開成位置と図７に示す捕虫空間２５の狭い閉止位置との間を往復移動し、捕虫空間２５の体積が可変される。化粧パネル３は送風装置１の運転停止時に閉止位置に配され、運転が開始されると開成位置に配される。また、後述するように、捕虫空間２５に虫が進入した際に化粧パネル３が開成位置から閉止位置に向かって後方に移動する。
【００４５】
閉止位置では筐体２の側壁により吸込口４の一部が覆われる。化粧パネル３は磁石５５ａを介して筐体２に取り付けられるため、吸込口４に挿入された手指が移動する化粧パネル３と筐体２との間に挟まれた際に化粧パネル３が筐体２から脱落する。これにより、送風装置１の安全性を向上することができる。
【００４６】
図８は送風装置１の構成を示すブロック図である。送風装置１は各部を制御する制御部１００を有している。制御部１００には、操作部４６、送風機１０、イオン発生装置１１、誘引灯２１、照度センサ４１、モータ３０、捕虫センサ４３、記憶部４４、表示部４５が接続される。
【００４７】
記憶部４４は送風装置１の制御プログラム及び制御データを格納するとともに、制御部１００による演算結果等を一時記憶する。
【００４８】
上記構成の送風装置１において、操作パネル６の操作により送風装置１の運転が指示されると、駆動装置３５、送風機１０及びイオン発生装置１１が駆動される。駆動装置３５の駆動により化粧パネル３が開成位置に配され、送風機１０の駆動により吸込口４を介して居室内の空気が捕虫空間２５内に流入する。
【００４９】
誘引灯２１が点灯されると、誘引灯２１の出射光は反射面６１ａにより吸込口４に向けて拡散反射する。これにより、吸込口４から漏れた光により虫を誘引し、吸込口４に接近した虫が捕虫空間２５内に吸引される。
【００５０】
捕虫空間２５に流入した空気は筐体２の流入口２０から送風通路７に流入する。この時、プレフィルタ８により空気中の大きな塵埃が捕集される。また、ＨＥＰＡフィルタ９によりＰＭ２．５等を含む空気中の微細な塵埃が捕集される。送風機１０の排気側の送風通路７内を流通する空気にはイオン発生装置１１で発生したイオンが含まれる。塵埃が捕集されてイオンを含む空気は吹出口５から送出される。これにより、居室内の空気を循環させるとともに清浄化することができる。
【００５１】
また、捕虫空間２５内に進入した虫が捕虫センサ４３により検出されると、駆動装置３５により化粧パネル３が後方に移動して捕虫空間２５を狭くする。捕虫空間２５が狭くなると、吸込口４から吸引される風量が増加して、捕虫空間２５内から虫が逃げ難くなる。さらに、捕虫シート５１と虫が近接するため、虫を捕虫シート５１により容易に捕獲することができる。化粧パネル３は閉止位置に配されると前方に移動して開成位置に復帰する。
【００５２】
なお、捕虫センサ４３により虫が検出されると所定の期間（例えば、数時間）内において、化粧パネル３を所定周期毎（例えば５分毎）に往復移動させてもよい。これにより、複数の虫が捕虫空間２５内に進入するまで待機した後に化粧パネル３が後方に移動し、捕虫シート５１による虫の捕獲率を向上することができる。
【００５３】
また、操作部４６の所定の操作によって省電力運転に設定されると、照度センサ４１により周囲の明るさが所定値よりも低くなるまで捕虫センサ４３による監視が停止される。これにより、居室内が明るいと駆動装置３５による化粧パネル３の移動が停止され、送風装置１の省電力化を図ることができる。一方、夕方から夜間に居室内が暗くなると蚊等の虫の動きが活発になるため、捕虫センサ４３の検出結果に基づいて化粧パネル３が後方に移動する。これにより、虫の捕獲量の減少を抑制することができる。照度センサ４１に替えて、時刻を計時する計時部を設けて昼間の捕虫センサ４３による監視を停止してもよい。
【００５４】
本実施形態によると、側方に臨む吸込口４を有した捕虫空間２５を筐体２の前面２ｂと化粧パネル３との間に形成し、化粧パネル３の背面３ａに捕虫シート５１を設置した。これにより、吸込口４から捕虫空間２５内に吸い込まれる虫を捕虫シート５１により捕獲することができる。また、化粧パネル３の背面３ａに捕虫シート５１が配されるため、送風装置１の外面上に捕虫シート５１を露出させず、前方から吸込口４を介して捕虫シート５１を視認することもできない。したがって、捕虫により感染症を予防できるとともに使用者に与える不快感を低減することができる。
【００５５】
また、運転状態を表示する表示部４５を筐体２の前部に配したので、送風装置１の正面から見て容易に運転状況を確認できる。
【００５６】
また、送風装置１の動作設定を行う操作部４６を筐体２の前部に配したので、送風装置１を正面から容易に操作することができる。
【００５７】
また、化粧パネル３が前後方向に移動可能に形成されるので、所定の時期に捕虫空間２５を狭くして捕虫空間２５内の虫を確実に捕獲することができる。
【００５８】
また、捕虫空間２５内の虫を検出する捕虫センサ４３を設け、捕虫センサ４３により虫を検出すると化粧パネル３が後方に移動して捕虫空間２５を狭くする。これにより、捕虫空間２５内に虫が進入していない時に化粧パネル３の移動が停止され、送風装置１の省電力化を図ることができる。
【００５９】
また、周囲の明るさを検知する照度センサ４１を備え、周囲の明るさが所定値よりも低くなると捕虫センサ４３の検知結果に基づいて化粧パネル３が後方に移動する。これにより、虫の捕獲量の減少を抑制してより省電力化を図ることができる。照度センサ４１に替えて時刻を取得するための計時部を設け、夜間になると化粧パネル３が後方に移動して捕虫空間２５を狭くしてもよい。
【００６０】
また、化粧パネル３が所定周期で前後方向に往復移動させると、複数の虫が捕虫空間２５内に進入するまで待機した後に化粧パネル３が後方に移動する。これにより、捕虫シート５１による虫の捕獲率を向上することができる。
【００６１】
なお、捕虫センサ４３を省き、照度センサ４１により検知した周囲の明るさが所定値よりも低くなると、化粧パネル３を所定周期毎（例えば５分毎）に往復移動させてもよい。
【００６２】
＜第２実施形態＞
次に、本発明の第２実施形態について説明する。図９は第２実施形態の送風装置１の上面断面図を示している。説明の便宜上、前述の図１〜図８に示した第１実施形態と同様の部分には同一の符号を付している。本実施形態では、閉止位置の化粧パネル３の側面部３ｂが筐体２内に配される。その他の部分は第１実施形態と同様である。
【００６３】
筐体２の前面２ｂには孔部２ｅが設けられ、孔部２ｅには化粧パネル３の側面部３ｂが挿通される。これにより、開成位置の化粧パネル３が後方に移動した際に、化粧パネル３の側面部３ｂの一部が筐体２内に進入する。
【００６４】
本実施形態によると、第１実施形態と同様の効果を奏することができる。また、化粧パネル３の側面部３ｂが筐体２内に進入して前後方向に移動可能に形成されるため、送風装置１を小型化できる。
【００６５】
＜第３実施形態＞
次に、本発明の第３実施形態について説明する。本実施形態は、前述の図１〜図８に示す第１実施形態に対し、駆動装置３５（図６参照）、可動部３１（図６参照）、捕虫センサ４３（図８参照）及び照度センサ４１（図８参照）が省略されている。その他の部分は第１実施形態と同様である。
【００６６】
前述の図２において、化粧パネル３は係合爪（不図示）により筐体２に着脱可能に取り付けられる。化粧パネル３を取り外して捕虫シート５１の交換を行うことができる。
【００６７】
本実施形態によると、第１実施形態と同様に、捕虫空間２５内に進入した虫を捕虫シート５１により捕獲することができ、感染症を予防できる。また、前方から捕虫シート５１を視認できないため、使用者に与える不快感を低減することができる。加えて、第１実施形態よりも送風装置１のコストを削減することができる。
【産業上の利用可能性】
【００６８】
本発明は捕虫機能を有する送風装置に利用することができる。
【符号の説明】
【００６９】
１    送風装置
２    筐体
２ａ  背面
２ｂ  前面
２ｃ  上面
２ｄ  孔部
２ｅ  孔部
３    化粧パネル
３ａ  背面
３ｂ  側面部
４    吸込口
５    吹出口
６    操作パネル
７    送風通路
８    プレフィルタ
９    ＨＥＰＡフィルタ
１０    送風機
１１    イオン発生装置
１２    スリーブ部
１３    突出板
２０    流入口
２１    誘引灯
２５    捕虫空間
２８    突出部
２８ａ  凹部
３０    モータ
３０ａ  シャフト
３０ｂ  ピニオン
３１    可動部
３２    枠体
３３    突出部
３４    ギヤ部
３５    駆動装置
４１    照度センサ
４３    捕虫センサ
４４    記憶部
４５    表示部
４６    操作部
５１    捕虫シート
５１ａ  粘着面
５１ｂ  孔部
５５    係合部
５５ａ  磁石
６１    反射部
６５    電源コード
１００    制御部
【図１】
2018000125.tif 000003
【図２】
2018000125.tif 000004
【図３】
2018000125.tif 000005
【図４】
2018000125.tif 000006
【図５】
2018000125.tif 000007
【図６】
2018000125.tif 000008
【図７】
2018000125.tif 000009
【図８】
2018000125.tif 000010
【図９】
2018000125.tif 000011